(57)【特許請求の範囲】
【請求項１】
表土で蔽われて施工されるための表土流出防止マットであって、通気防水層と、通水層と、有孔性三次元マトリクス層とが、通水層を中間層として接合され、通水層は水をよく透過するが、土を殆ど透過しない粒径が０．２ｍｍ未満の粒子を含んだ泥水を通過できるものであり、有孔性三次元マトリクス層は粒径が０．２ｍｍ以下の粒子を通過し得るものであることを特徴とする表土流出防止マット。
【請求項２】
通気防水層が不織布または合成繊維紙または微多孔性樹脂フィルムであることを特徴とする請求項１に記載の表土流出防止マット。
【請求項３】
通水層が不織布からなることを特徴とする請求項１〜２のいずれかに記載の表土流出防止マット。
【請求項４】
通水層の厚さが少なくとも２ｍｍであることを特徴とする請求項１〜３のいずれかに記載の表土流出防止マット。
【請求項５】
有孔性三次元マトリクス層の厚さが少なくとも２ｍｍであることを特徴とする請求項１〜４のいずれかに記載の表土流出防止マット。
【請求項６】
有孔性三次元マトリクス層が樹脂よりなることを特徴とする請求項１〜５のいずれかに記載の表土流出防止マット。
【請求項７】
有孔性三次元マトリクス層がモノフィラメントを用いたものであることを特徴とする請求項６に記載の表土流出防止マット。
【請求項８】
有孔性三次元マトリクス層がロック型不織布または立体網状物であることを特徴とする請求項６または７に記載の表土流出防止マット。
【請求項９】
請求項１〜８のいずれかに記載の表土流出防止マットを用いて、雑草地や埋め立てられた廃棄物を上から蔽う工法であって、有孔性三次元マトリクス層を上層にして蔽うことと、更にその上を表土で蔽うことを特徴とする表土流出防止工法。
【発明の詳細な説明】
【０００１】
【産業上の利用分野】
本発明は、雑草地や埋め立てられた廃棄物を上から蔽うためのマット及びそのマットを用いた工法に関する。本発明は、雑草地や廃棄物を上から蔽い、更に表土で覆う場合に、表土が雨水等によって流出することを防止できる表土流出防止マット及びそのマットを用いた表土流出防止工法に関する。
【０００２】
【従来の技術】
土木工事で雑草地等をシートで蔽い、更にその上を表土で蔽う工法が行われている。また、埋め立てられた廃棄物を上から蔽うための通気防水シート及びそれを用いた通気防水工法として、特開平８−２３８４６６号公報「廃棄物処分場閉鎖用不織布シートおよび廃棄物処分場の閉鎖方法」、特開平１０−８５６９５号公報「廃棄物処分場に用いられる複合被覆材」等が知られている。特に後者は、廃棄物処分場の閉鎖に際して、埋め立てられた廃棄物を上から蔽い、雨水の浸入を防ぎ、廃棄物から出る有害な物質の流出を減少させると共に、廃棄物から出るガスを充満させることがないようにする上で、通気防水シート及びそれを用いた通気防水工法は、環境保全上も重要な技術となっている。
【０００３】
これらのシートを用いて雑草地や埋め立てられた廃棄物を上から蔽い、更にその上を表土で蔽う場合に、雨水や地震時の揺れ等によって表土が流出されることがある。特に、廃棄物を蔽った場合に、その勾配の程度によってしばしば表土の流出は深刻なことがある。
【０００４】
【発明が解決しようとする課題】
本発明は、前記した表土の流出に対して、これの少ない表土流出防止マット及びそれを用いた表土流出防止工法を提供することを目的とする。
【０００５】
【課題を解決するための手段】
表土に使用される土砂には、それ自体では隣接する土粒子どうしの摩擦抵抗力によって崩壊を防ぐ力がある。ただし、そこに過剰な間隙水が生じると流出破壊を起こす。本発明者は、前記課題を解決するため、前記土粒子どうしの摩擦抵抗力を維持する手段と前記間隙水を排除する手段について鋭意検討した結果、ついに本発明をなすに至った。
【０００６】
すなわち、本発明の態様は、以下の通りである。
（１）表土で蔽われて施工されるための表土流出防止マットであって、通気防水層と、通水層と、有孔性三次元マトリクス層とが、通水層を中間層として接合され、通水層は水をよく透過するが、土を殆ど透過しない粒径が０．２ｍｍ未満の粒子を含んだ泥水を通過できるものであり、有孔性三次元マトリクス層は粒径が０．２ｍｍ以下の粒子を通過し得るものであることを特徴とする表土流出防止マット。
（２）通気防水層が不織布または合成繊維紙または微多孔性樹脂フィルムであることを特徴とする１に記載の表土流出防止マット。
（３）通水層が不織布からなることを特徴とする１〜２のいずれかに記載の表土流出防止マット。
（４）通水層の厚さが少なくとも２ｍｍであることを特徴とする１〜３のいずれかに記載の表土流出防止マット。
（５）有孔性三次元マトリクス層の厚さが少なくとも２ｍｍであることを特徴とする１〜４のいずれかに記載の表土流出防止マット。
（６）有孔性三次元マトリクス層が樹脂よりなることを特徴とする１〜５のいずれかに記載の表土流出防止マット。
（７）有孔性三次元マトリクス層がモノフィラメントを用いたものであることを特徴とする６に記載の表土流出防止マット。
（８）有孔性三次元マトリクス層がロック型不織布または立体網状物であることを特徴とする６または７に記載の表土流出防止マット。
（９）１〜８のいずれかに記載の表土流出防止マットを用いて、雑草地や埋め立てられた廃棄物を上から蔽う工法であって、有孔性三次元マトリクス層を上層にして蔽うことと、更にその上を表土で蔽うことを特徴とする表土流出防止工法。
【０００７】
【０００８】
【０００９】
以下、本発明の態様について更に詳細に説明する。
本発明の表土流出防止マットの通水層は水をよく透過するが、土を殆ど透過しない粒径が０．２ｍｍ未満の粒子を含んだ泥水を通過できるものであり、有孔性三次元マトリクス層は粒径が０．２ｍｍ以下の粒子を通過し得るものである。
有孔性三次元マトリクス層は、粒径が０．５ｍｍ以下の粒子を通過し得るものであることが更に好ましく、１ｍｍ以下の粒子を通過し得るものであることが更に好ましく、２ｍｍ以下の粒子を通過し得るものであることが更に好ましく、５ｍｍ以下の粒子を通過し得るものであることが更に好ましく、１ｃｍ以下の粒子を通過し得るものであることがさらに好ましく、２ｃｍ以下の粒子を通過し得るものであることが更に好ましい。
【００１０】
通水層と有孔性三次元マトリクス層を接合するにあたり、補強等のために、第三の層として有孔性三次元マトリクスからなる、粒径が０．２ｍｍ以下の粒子を通過し得ない層を介在させて接合してよい。通水層の厚さは、少なくとも２ｍｍあることが好ましく、３ｍｍ以上であることが更に好ましく、４ｍｍ以上であることが更に好ましい。５ｍｍとすることは実用的な例である。有孔性三次元マトリクス層の厚さは、少なくとも２ｍｍあることが好ましく、４ｍｍ以上であることが更に好ましく、６ｍｍ以上であることが更に好ましく、８ｍｍ以上であることが更に好ましい。１０ｍｍとすることは実用的な例である。
【００１１】
本発明の表土流出防止工法は、本発明の表土流出防止マットを用いて、雑草地や埋め立てられた廃棄物を上から蔽う工法であって、有孔性三次元マトリクス層を上層にして蔽うことと、更にその上を表土で蔽うことを特徴とする表土流出防止工法である。
通水層は、前記土粒子の間隙水を排除するのに役立つ。特に本発明の表土流出防止マットが斜面に施工された場合は、間隙水は通水層を通して効率良く排除される。また、有孔性三次元マトリクス層は、表土の底部をつかみ、土砂の浸透水による崩壊を防いで剪断抵抗をもたらす。このようにして本発明の表土流出防止マットは、通水層と有孔三次元マトリクス層を接合によって一体化し、複合材料としたことで、更に施工の簡便性をもたらしたものである。
【００１２】
【発明の実施の形態】
以下、本発明を実施例等により説明するが、本発明はこれらの具体例によって何ら技術的範囲が限定されるものではない。
【００１３】
【実施例】
図１は、本発明の表土流出防止マットの構成例を表す断面図である。図１において、通水層は、短繊維及び長繊維からなる不織布であり、厚さが５ｍｍである。通水層は、水をよく透過するが、土を殆ど透過しない。通水層は、ドイツ国ＮＡＵＥ社製のＳｅｃｕｔｅｘ−Ｒ５０４（商品名）である。有孔性三次元マトリクス層は、モノフィラメント立体網状物であり、厚さが１０ｍｍである。有孔性三次元マトリクス層は、ドイツ国ＮＡＵＥ社製のＳｅｃｕｍａｔ−ＥＳ６０１（商品名）である。
【００１４】
傾きがおよそ３０°で高さが１０ｍ、幅４ｍの斜面を、図１に示す表土流出防止マットで蔽った。通気防水シートとして、ＡＤＫシート（旭・デュポンフラッシュスパンプロダクツ株式会社の登録商標）を用いた。この表土流出防止マットの上に表土を約２０ｃｍの厚さで盛った。この状態で全斜面に対して放水ポンプ車を用いて１時間２５ｍｍの雨量に相当する水を２時間散水した。その結果、通水層は土粒子の間隙水をよく排除し、また、有孔性三次元マトリクス層２は、よく表土をつかんで、表土の流出は殆ど起らなかった。
【００１５】
【比較例】
図１に示す表土流出防止マットを用いないで、実施例の通気防水シートのみを用いて実施例と同様の実験を繰り返した。その結果、散水を開始して約４０分後に斜面の処々に表土の流出痕が出現した。
【００１６】
【発明の効果】
本発明は、雑草地や埋め立てられた廃棄物の上を表土で蔽う場合に、雨水や地震時の揺れ等によって表土が流出されることを少なくすることができ、簡便に施工のできるものである。
【図面の簡単な説明】
【図１】本発明の表土流出防止マットの構成例を表す断面図である。
【図１】
0003947395.tif 000002